(57)【要約】【課題】防虫剤等の薬剤が米の中に紛れてしまうことを防止すべく、薬剤を容器中の米から分離するために、薬剤を収容可能な米計量カップを提供する。【解決手段】米を計量するカップ本体（１）と、このカップ本体と一体的に設けられるとともに、複数の通気穴（２０）が形成されている開閉自在な薬剤収容器（２）とを有する米計量カップとした。具体的には、上記カップ本体の底部（１１）に第１のねじ部（１２ａ）を形成し、薬剤収容器として、有底筒状の容器の開口部周縁に上記第１のねじ部と螺合する第２のねじ部（２１ａ）を形成して、上記第２のねじ部を第１のねじ部に螺合させることにより、薬剤収容器をカップ本体に一体的に設けた。【選択図】図１
2007163305.tif 000002
【特許請求の範囲】
【請求項１】
米を計量するカップ本体と、このカップ本体と一体的に設けられるとともに、複数の通気穴が形成されている開閉自在な薬剤収容器とを有することを特徴とする米計量カップ。
【請求項２】
上記カップ本体は、底部に第１のねじ部が形成され、
上記薬剤収容器は、有底筒状の容器であって、その開口部周縁に上記第１のねじ部と螺合する第２のねじ部が形成されており、上記第２のねじ部を第１のねじ部に螺合させることにより、上記カップ本体に一体的に設けられることを特徴とする請求項１に記載の米計量カップ。
【請求項３】
上記カップ本体は、その側部から外方に延在する板状の把手が設けられており、
上記薬剤収容器は、上部が開放された筺体からなる容器であって、その開口部を塞ぐように上記把手と一体化されることにより、上記カップ本体と一体的に設けられていることを特徴とする請求項１に記載の米計量カップ。
【請求項４】
上記薬剤収容器は、上記筺体の一端部が薄肉部を介して、上記把手と一体化されるとともに、上記筺体の他端部に上記把手に向けて突出する係合部材が設けられており、
上記把手は、上記係合部材が係合する穴が形成されており、かつ、
この把手を含む上記カップ本体及び上記薬剤収容器は、プラスチックにより一体成形されていることを特徴とする請求項３に記載の米計量カップ。
【発明の詳細な説明】
【技術分野】
【０００１】
本発明は、米を計量する際に使用する米計量カップに関し、特に米びつ等の保存容器中に入れておくのに適した米計量カップに関するものである。
【背景技術】
【０００２】
従来より、上記米計量カップとして、目盛りを付した有底円筒状の容器が多く用いられている。この米計量カップは、一般的に、米びつ等の米が入れられた容器内にそのまま入れられている。
また、この米の容器内には、別途、米を長期に保存するために防虫剤等が入れられている。
【０００３】
ところで、この容器内に入れられた防虫剤等の薬剤は、米の出し入れの際に奥に入り込むことがあり、米の中に紛れて、薬剤を投入したか否かが不明になるという問題がある。さらに、薬剤の交換時に、米の中に紛れた薬剤を探すことに時間を要して、交換作業の効率が悪くなるという問題がある。
【発明の開示】
【発明が解決しようとする課題】
【０００４】
本発明は、かかる事情に鑑みてなされたもので、防虫剤等の薬剤が米の中に紛れてしまうことを防止すべく、薬剤を収容可能な米計量カップを提供することを課題とするものである。
【課題を解決するための手段】
【０００５】
上記課題を解決するために、請求項１の発明に係る米計量カップは、米を計量するカップ本体と、このカップ本体と一体的に設けられるとともに、複数の通気穴が形成されている開閉自在な薬剤収容器とを有することを特徴とするものである。
【０００６】
この薬剤収容器には、市販の天然唐辛子成分、発酵アルコール、木炭、天然山葵エキス、天然辛子エキス、天然ティートリー油、マスタード香料製剤、ニンニク香料製剤およびその他の植物成分を含有する防虫剤、抗菌剤、防かび剤、除湿剤等の薬剤が入れられるようになっている。また、これらの薬剤の代わりに、鷹の爪、山葵片、木片等を入れてもよい。
【０００７】
請求項２に記載の発明は、請求項１に記載の米計量カップにおいて、上記カップ本体は、底部に第１のねじ部が形成され、上記薬剤収容器は、有底筒状の容器であって、その開口部周縁に上記第１のねじ部と螺合する第２のねじ部が形成されており、上記第２のねじ部を第１のねじ部に螺合させることにより、上記カップ本体に一体的に設けられることを特徴とするものである。
【０００８】
請求項３に記載の発明は、請求項１に記載の米計量カップにおいて、上記カップ本体が、その側部から外方に延在する板状の把手が設けられており、上記薬剤収容器が、上部が開放された筺体からなる容器であって、その開口部を塞ぐように上記把手と一体化されることにより、上記カップ本体と一体的に設けられていることを特徴とするものである。
【０００９】
請求項４に記載の発明は、請求項３に記載の米計量カップにおいて、上記薬剤収容器は、上記筺体の一端部が薄肉部を介して、上記把手と一体化されるとともに、上記筺体の他端部に上記把手に向けて突出する係合部材が設けられており、
上記把手は、上記係合部材が係合する穴が形成されており、かつ、この把手を含む上記カップ本体及び上記薬剤収容器は、プラスチックにより一体成形されていることを特徴とするものである。
【発明の効果】
【００１０】
請求項１に記載の発明によれば、カップ本体と一体的に設けられている薬剤収容器に防虫剤等の薬剤を収容することにより、米計量カップを計量器としてだけでなく、薬剤収容器として使用することができる。このため、米計量カップを米びつ等の米が入れられた容器内に入れておくことにより、薬剤による効用を通気穴を介して容器内に行き渡らせることができる。その結果、容器内に防虫剤等の薬剤を別途入れる必要がなく、定期的な薬剤交換時に使用済みの薬剤を探すための作業時間を必要とせずに、効率的に交換作業行うことができる。
【００１１】
特に、請求項２に記載の発明によれば、容器内に任意の薬剤を入れて、薬剤収容器の開口部周縁に形成された第２のねじ部をカップ本体の第１のねじ部に螺合させることにより、薬剤収容器の開口を閉じることができる。その結果、市販されている防虫剤等に限らず、通気穴よりも粒径の大きな粒状物や固形物等であれば、薬剤としてあらゆる物を入れることができ、薬剤の選択肢を拡げることができる。
また、薬剤を入れない場合には、薬剤収容器を取り外して、米の容器に入れることができるため、薬剤が手元に無い場合には、カップ本体のみを米の容器に入れる等の使用スタイルに適した用い方を可能にすることができる。
【００１２】
同様に、請求項３に記載の発明によれば、薬剤収容器をカップ本体の側部から外方に延在する把手と一体化させたため、カップ本体周りの容積が大きくなることを防止でき、収容スペースの小さい米の容器であっても、米計量カップを容器内に収容することができる。
【００１３】
請求項４に記載の発明によれば、筺体の一端部を、薄肉部を介して把手と一体化させているため、筺体の他端部に設けられた係合部材を把手に設けられた穴に係合させることにより薬剤収容器を把手に係合させて、薬剤収容器の開口部を塞ぐことができる。さらに、この把手を含むカップ本体及び薬剤収容器をプラスチックにより一体成形したため、腐食する恐れがある金属素材の接合冶具等を使用せずに済むため、腐食した金属粉が米の容器内に混入することを防止できる。
【発明を実施するための最良の形態】
【００１４】
以下、本発明に係る２つの米計量カップについて、図１ないし図４を用いて説明する。
【００１５】
まず、本実施形態の第１の米計量カップは、図１及び図２に示すように、略円筒状の容器（カップ本体）１と、この容器の下部に一体的に設けた薬剤収容器２とから概略構成されている。
【００１６】
この容器１は、上部に向けて漸次断面積が大きくなるように側面１０が拡径しており、所定の容量（例えば、１合）を有している。また、ポリプロピレン等の透明なプラスチック素材によって成形されており、側面１０には、例えば、０．５合等の目盛りが付されている。さらに、底部１１には、容器１よりも外径の小さいリング状部材１２が一体に形成されており、このリング状部材１２に雄ねじ（第１のねじ部）１２ａが形成されている。
【００１７】
他方、上記薬剤収容器２は、有底円筒状の容器であって、上部に向けて漸次断面積が大きくなるように側面２１が拡径しており、開口部の側面２１外径が上記側面１０の底部１１の外径と同一になるように設定されている。また、開口部周縁の側面２１には、上記雄ねじ１２ａに螺合する雌ねじ（第２のねじ部）２１ａが形成されている。そして、この雌ねじ２１ａを上記雄ねじ１２ａに螺合させることにより、容器１に一体的に設けられるようになっている。
【００１８】
また、上記薬剤収容器２は、上記容器１と同一素材によって成形されており、無数の通気穴２０が全面に渡って形成されている。この通気穴２０は、防虫剤等の薬剤が通り抜けない程度の内径を具備している。
【００１９】
次に、上記米計量カップ用いて、薬剤収容器２に防虫剤を収容する場合の作用について説明する。
まず、薬剤収容器２に防虫剤を入れた後に、リング状部材１２に開口部周縁の側面２１を合わせるようにして、薬剤収容器２を回転させることにより、雌ねじ２１ａを雄ねじ１２ａに螺合させる。
【００２０】
次に、この薬剤収容器２に防虫剤が入れられた米計量器を米びつに入れる。すると、薬剤収容器２に形成された通気穴２０を通じて、防虫剤による効用が米びつ内に行き渡り、米びつ内において防虫作用が発揮される。
【００２１】
この防虫剤の交換が必要になった際には、米びつから米計量器を取り出し、薬剤収容器２を回転させて、雄ねじ１２ａと雌ねじ２１ａとの螺合を解くことにより、薬剤収容器２を開口して、防虫剤を入れ替える。この防虫剤が入れ替えられた米計量器を、上述と同様に、米びつに入れて使用する。
【００２２】
次に、第２実施形態の米計量カップについて、図３及び図４を用いて説明する。
本実施形態の米計量カップは、扁平な有底円筒状の容器（カップ本体）５と、この容器の側部から外方に延在する板状の把手５１と、この把手５１の裏面側に設けられた筺体６（薬剤収容器）とが、ポリプロピレン等の透明なプラスチック材料によって一体成形されている。
【００２３】
この容器５は、上部に向けて漸次断面積が大きくなるように側部５２が拡径しており、所定の容量（例えば、０．５合）を有している。また、側部５２には、第１の実施形態と同様に、目盛りが付されている。
【００２４】
上記筺体６は、把手５１より長手方向の長さが短い長方形状の底板６１と、この底板６１の外周部に立設する壁部６２とからなる容器であって、上部が開放されており、無数の通気穴６０が全面に渡って形成されている。
【００２５】
また、長手方向の一端部における壁部６２の上端面全体が薄肉部５６を介して、上記把手５１の外側端部と一体化されるとともに、長手方向の他端部における壁部６２の上端面には、上記把手５１に向けて突出する係合部材６３が設けられている。
他方、上記把手５１には、上記係合部材６３に係合する穴５１ａが形成されている。
【００２６】
次に、上述の米計量カップを用いて、薬剤収容器に鷹の爪を収容する場合の作用について説明する。
まず、筺体６に鷹の爪を入れた後に、底板６１の内側端部を上向きに押圧すことにより、係合部材６３を穴５１ａに挿通させる。すると、筺体６が把手５１に係止されることによって、筺体６が閉口する。この筺体６に鷹の爪が入れられた米収容器を米びつに入れると、通気穴６０を通じて、鷹の爪による防虫作用が米びつ内に行き渡る。
【００２７】
この鷹の爪の交換が必要になった際には、係合部材６３を下方に向けて押して、係合部材６３を穴５１ａから押し出すことにより、筺体６を開口させて、鷹の爪を入れ替える。次いで、上述と同様に、鷹の爪が入れ替えられた米計量器を米びつに入れて使用する。
【００２８】
上述の米計量器によれば、米計量カップを計量器としてだけなく、薬剤収容器として使用することができる。また、接合冶具として腐食の恐れがある金属素材等を用いることなく、容器１、５および薬剤収容器２、６を全てポリプロピレン等のプラスチック素材によって成形したため、米びつ内に錆びた金属紛が混入することを防止できる。
【００２９】
さらに、薬剤収容器２、６に防虫剤等の薬剤を収容することにより、鷹の爪等の潰れやすい薬剤であっても使用することができ、その結果、薬剤の選択肢を拡げることができる。
【図面の簡単な説明】
【００３０】
【図１】第１実施形態の米計量器を示す説明図であり、（ａ）は側面図、（ｂ）は正面図である。
【図２】第１実施形態の米計量器の使用状態説明図である。
【図３】第２実施形態の米計量器を示す説明図であり、（ａ）は側面図、（ｂ）は正面図である。
【図４】第２実施形態の米計量器の使用状態説明図である。
【符号の説明】
【００３１】
１、５・・・    容器（カップ本体）
２・・・薬剤収容器
６・・・筺体（薬剤収容器）
２０、６０・・・通気穴
【図１】
2007163305.tif 000003
【図２】
2007163305.tif 000004
【図３】
2007163305.tif 000005
【図４】
2007163305.tif 000006